(57)【要約】【課題】空調側回路９がそれまでの冷房運転の経緯に関わらず、室内での吸熱を給湯側回路１４に附加することにより性能向上を図れる冷暖房給湯装置を提供する。【解決手段】空調側補助冷媒熱交換器２２を空調側回路９に設置し、空調側補助冷媒熱交換器２２と一体に形成し熱交換する給湯側補助冷媒熱交換器２４を給湯側回路１４に備えたものであり、空調側回路９が冷房運転の時、給湯側回路１４を同時運転しながら、室内で回収した熱を空調側補助冷媒熱交換器２２と給湯側補助冷媒熱交換器２４の熱交換によって給湯側回路１４に付加する冷暖房給湯装置。【選択図】  図１
2004218943.tif 000002
【特許請求の範囲】
【請求項１】
空調側圧縮機と流路切換手段と空調側室外熱交換器と空調側補助冷媒熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と前記空調側補助冷媒熱交換器と一体に形成し熱交換する給湯側補助冷媒熱交換器とからなる給湯側回路とを備えた冷暖房給湯装置。
【請求項２】
空調側圧縮機と流路切換手段と空調側室外熱交換器と空調側補助熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と前記空調側補助熱交換器と一体に形成し送風手段により送風空気を熱媒体として熱交換する給湯側補助熱交換器とからなる給湯側回路とを備えた冷暖房給湯装置。
【請求項３】
空調側圧縮機と流路切換手段と空調側室外熱交換器と空調側開閉弁と空調側補助熱交換器と前記空調側補助熱交換器をバイパスするように設けた空調側バイパス弁と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と給湯側開閉弁と前記空調側補助熱交換器と一体に形成し熱交換する給湯側補助熱交換器と前記給湯側補助熱交換器バイパスするように設けた給湯側バイパス弁とからなる給湯側回路とを備えた冷暖房給湯装置。
【請求項４】
空調側室外熱交換器に空調側着霜センサーを設け、給湯側室外熱交換器に給湯側着霜センサーを設けた請求項２または請求項３記載の冷暖房給湯装置。
【請求項５】
給湯側回路を夜間運転するためにタイマーを設けた請求項１〜４いずれか１項に記載の冷暖房給湯装置。
【請求項６】
空調側圧縮機と流路切換手段と空調側室外熱交換器と空調側蓄熱熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と給湯側蓄熱熱交換器と前記給湯側蓄熱熱交換器と前記空調側蓄熱熱交換器と蓄熱材から成る蓄熱槽とからなる給湯側回路とを備えた冷暖房給湯装置。
【発明の詳細な説明】
【０００１】
【発明の属する技術分野】
本発明は、冷暖房と給湯を単独あるいは同時に行える冷暖房給湯装置に関するものである。
【０００２】
【従来の技術】
従来の技術としては特許文献１に示されているものがある。以下、図７及び図８を参照しながら説明する。図８は従来の冷暖房給湯装置の回路図である。図７で、１は空調側圧縮機、２は流路切換手段、３は大気熱交側開閉弁、４は空調側室外熱交換器、５は空調側減圧装置、６室内熱交換器であり、７は貯湯槽側開閉弁、８は空調側水熱交換器であり、大気熱交側開閉弁３、貯湯槽側開閉弁７の開閉動作によって冷媒回路を空調側室外熱交換器４、あるいは空調側水熱交換器８に切り換えられる様に構成しており、これらを環状に連結して空調側回路９を形成している。図中、実線の矢印は冷房運転時の冷媒の流れを示し、破線の矢印は暖房運転時の冷媒の流れを示している。
【０００３】
また、１０は給湯側圧縮機、１１は給湯側水熱交換器、１２は給湯側減圧装置、１３は給湯側室外熱交換器でありこれらを環状に連結して給湯側回路１４を形成している。
【０００４】
さらに、１５は貯湯槽であり外部より供給される市水１６で満たされており、市水１６を加熱する空調側水熱交換器８、給湯側水熱交換器１１が貯湯槽１５の内部に設置されており、１７は湯を使用する時に用いる端末水栓である。
【０００５】
以上の様に構成された冷暖房給湯装置についてその動作を説明する。先ず、冷房運転時の動作について説明する。空調側回路９では、空調側圧縮機１で圧縮された高温高圧冷媒ガスは流路切換手段２を通り、大気熱交側開閉弁３を経て空調側室外熱交換器４に至る。この時、貯湯槽１５内の水が高温高圧ガスの温度より低い場合には大気熱交側開閉弁３を閉止し貯湯槽側開閉弁７を開成して、高温高圧ガスは空調側水熱交換器８を通過し貯湯槽１５内の低温の市水１６に放熱して凝縮し高圧の液冷媒となる。一方、貯湯槽１５内の水が高温高圧ガスの温度より高い場合には貯湯槽側開閉弁７は閉止し大気熱交側開閉弁３を開成して、空調側室外熱交換器４を通り室外空気と熱交換して凝縮し高圧の液冷媒となる。
【０００６】
そして、凝縮した高圧の液冷媒は空調側減圧装置５で減圧され、低温低圧の二相冷媒となって室内熱交換器６に達する。室内熱交換器６では室内空気の熱を吸熱して蒸発し即ち室内を冷房した後、流路切換手段２を通って空調側圧縮機１にもどる。この様にして、室内を冷房している。
【０００７】
次に、暖房運転時の動作について説明する。空調側回路９では、空調側圧縮機１で圧縮された高温高圧冷媒ガスは流路切換手段２を通り室内熱交換器６に達する。室内熱交換器６では室内空気に熱を放熱熱して凝縮し即ち室内を暖房した後、凝縮し高圧の液冷媒となり空調側減圧装置５で減圧され、低温低圧の二相冷媒となって空調側室外熱交換器４に至る。
【０００８】
空調側室外熱交換器４では室外空気と熱交換して蒸発し低圧ガスとなって大気熱交側開閉弁３を経て空調側圧縮機１にもどる。この時、貯湯槽側開閉弁７は閉止している。この様にして室内を暖房している。
【０００９】
さらに給湯運転時の動作について説明する。給湯側回路１４では、給湯側圧縮機１０で圧縮された高温高圧のガスは給湯側水熱交換器１１を通り外部から供給された貯湯槽１５内の市水１６と熱交換し、貯湯槽内の低温の水から適温の湯に加熱して、凝縮し高圧の液冷媒となって給湯側減圧装置１２に至る。
【００１０】
給湯側減圧装置１２で減圧され、低温低圧の二相冷媒となって給湯側室外熱交換器４に入り、室外空気と熱交換して蒸発し低圧ガスとなって給湯側圧縮機１０にもどる。さらに、貯湯槽１５に適温の湯が蓄えられ、この湯を使用するときには端末水栓１７を用いて出湯する。
【００１１】
また、冷暖房及び給湯の同時運転はこれまでに示した動作を組み合わせて行われることになる。
【００１２】
この様に、冷房運転時に貯湯槽１５内の水が高温高圧ガスの温度より低い場合、大気熱交側開閉弁３を閉止し貯湯槽側開閉弁７を開成して、高温高圧ガスは空調側水熱交換器８を通過し貯湯槽１５内の低温の市水１６に放熱してするので、室内で回収した熱を給湯側回路に付加することができる性能向上が図ることができる。
【００１３】
【特許文献１】
特開昭６１−５２５９６号公報
【００１４】
【発明が解決しようとする課題】
しかしながら、従来の構成では、空調側回路９が冷房運転時、空調側水熱交換器８が放熱し貯湯槽１５内の水温が適温に至らない範囲で上昇した場合、給湯側水熱交換器１１内を流れる冷媒と水温の温度差が小さくなり、給湯側水熱交換器１１での熱交換性能が低下するため、給湯側回路１４の性能が低下すると言う問題があった。
【００１５】
本発明の目的は、空調側回路９がそれまでの冷房運転の経緯に関わらず、室内での吸熱を給湯側回路１４に付加することにより性能向上を図れる冷暖房給湯装置を提供することである。
【００１６】
【課題を解決するための手段】
この目的を達成するために本発明の冷暖房給湯装置は、空調側補助冷媒熱交換器と一体に形成し熱交換する給湯側補助冷媒熱交換器を備えたものとする。
【００１７】
このことにより、空調側回路が冷房運転の時、給湯側回路を同時運転することで室内で回収した熱を空調側補助冷媒熱交換器と給湯側補助冷媒熱交換器により熱交換することで給湯側回路に付加することができる。
【００１８】
【発明の実施の形態】
本発明の請求項１に記載の発明は、空調側圧縮機と流路切換手段と空調側室外熱交換器と空調側補助冷媒熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と前記空調側補助冷媒熱交換器と一体に形成し熱交換する給湯側補助冷媒熱交換器とからなる給湯側回路とを備えた。
【００１９】
このため、空調側回路が冷房運転の時、給湯側回路を同時運転した場合にのみ室内で回収した熱を空調側補助冷媒熱交換器と給湯側補助冷媒熱交換器の熱交換によって給湯側回路に付加することができるので、空調側回路のそれまでの冷房運転の経緯に関わらず、空調側回路が冷房運転時に室内での吸熱を給湯側回路に付加することにより性能向上を図ることができる。
【００２０】
本発明の請求項２に記載の発明は、空調側圧縮機と流路切換手段と空調側室外熱交換器と空調側補助熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と前記空調側補助熱交換器と一体に形成し送風手段により送風空気を熱媒体として熱交換する給湯側補助熱交換器とからなる給湯側回路とを備えた。
【００２１】
このため、空調側回路が冷房運転の時、給湯側回路を運転すると室内で回収した熱を送風手段の送風空気を媒体として、空調側補助熱交換器と給湯側補助熱交換器の熱交換によって給湯側回路に付加することができるので、空調側回路が冷房運転時に室内での吸熱を給湯側回路に付加することにより性能向上を図ることができる。
【００２２】
本発明の請求項３に記載の発明は、空調側圧縮機と流路切換手段と空調側開閉弁と空調側補助熱交換器と空調側室外熱交換器と前記空調側補助熱交換器をバイパスするように設けた空調側バイパス弁と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と給湯側開閉弁と前記空調側補助熱交換器と一体に形成し熱交換する給湯側補助熱交換器と前記給湯側補助熱交換器バイパスするように設けた給湯側バイパス弁とからなる給湯側回路とを備えた。
【００２３】
これにより、空調側回路および給湯側回路の運転状態に応じて空気側補助熱交換器あるいは給湯側補助熱交換器をより高い能力の運転が必要な回路側に切り換えて使うことで、空気との熱交換器として使用でき性能向上を図ることができる。
【００２４】
本発明の請求項４に記載の発明は、請求項２記載の発明に、空調側室外熱交換器に空調側着霜センサーを設け、給湯側室外熱交換器に給湯側着霜センサーを設けたものである。
【００２５】
これにより、空調側室外熱交換器が着霜状態の時には空気側補助熱交換器を空気との熱交換に使用できるので空調側室外熱交換器の能力低下を補うことができ、給湯側室外熱交換器が着霜状態の時には給湯側補助熱交換器を空気との熱交換に使用できるので給湯側室外熱交換器の能力低下を補うことができ、空調側室外熱交換器、あるいは給湯側室外熱交換器が着霜した場合の暖房能力あるいは給湯能力の向上を図れる。
【００２６】
本発明の請求項５に記載の発明は、請求項１または請求項２または請求項３記載の発明に、給湯側回路を夜間運転するためにタイマーを設けた。
【００２７】
これにより、夜間電力の有効利用により電力の平準化を行い環境保全に寄与し、空調側回路が冷房運転時には給湯側回路を運転すると室内で回収した熱を空調側補助熱交換器と給湯側補助熱交換器の熱交換によって給湯側回路に付加することができるので、給湯側回路の性能向上を図れる。
【００２８】
本発明の請求項６に記載の発明は、空調側圧縮機と流路切換手段と空調側室外熱交換器と空調側蓄熱熱交換器と空調側減圧装置と室内熱交換器とを環状に連結してなる空調側回路と、給湯側圧縮機と前記給湯側圧縮機の吐出冷媒とが熱交換する水熱交換器と給湯側減圧装置と給湯側室外熱交換器と給湯側蓄熱熱交換器と前記給湯側蓄熱熱交換器と前記空調側蓄熱熱交換器と蓄熱材から成る蓄熱槽とからなる給湯側回路とを備えた。
【００２９】
これにより、空調側回路が冷房運転の時の単独運転時においても、給湯機回路の単独運転に置いても蓄熱槽が熱エネルギーを蓄えることができるので、冷房運転と給湯運転が同時に行われない場合においても、空調側回路が冷房運転時に室内での吸熱を給湯側回路に付加することにより性能向上を図れる。
【００３０】
【実施例】
以下、本発明による冷暖房給湯装置の実施例について、図面を参照しながら説明する。
【００３１】
（実施例１）
図１は本発明の実施例１おける冷暖房給湯装置の回路図である。尚、従来と同一構成については同一符号を付し、その詳細な説明を省略する。
【００３２】
図１において、１８は空調側補助冷媒熱交換器、１９は給湯側補助冷媒熱交換器であり、空調側補助冷媒熱交換器１８、給湯側補助冷媒熱交換１９は一体に形成し内部を通過する冷媒間の熱交換を行う。また、２０は水循環装置、２１は水熱交換器である。
【００３３】
以上の様に構成された冷暖房給湯装置について、ここでは本発明の特徴である冷房運転と給湯運転の同時運転の動作についてのみ説明する。
【００３４】
冷房運転では、空調側回路９は空調側圧縮機１で圧縮された高温高圧冷媒ガスは流路切換手段２を通り、空調側室外熱交換器４を経て、空調側補助冷媒熱交換器１８に至る。この時、空調側補助冷媒熱交換器１８及び空調側室外熱交換器４を通り放熱して凝縮し高圧の液冷媒となる。
【００３５】
そして、凝縮した高圧の液冷媒は空調側減圧装置５で減圧され、低温低圧の二相冷媒となって室内熱交換器６に達する。室内熱交換器６では室内空気の熱を吸熱して蒸発し即ち室内を冷房した後、流路切換手段２を通って空調側圧縮機１にもどる。この様にして、室内を冷房している。
【００３６】
一方、給湯運転では、給湯側回路１４は給湯側圧縮機１０で圧縮された高温高圧のガスは水熱交換器２１を通る。
【００３７】
水熱交換器２１で高温高圧ガスは、水循環装置２０により外部から供給された貯湯槽１５内の市水１６と熱交換し、貯湯槽内の低温の水を適温の湯に加熱して、凝縮し高圧の液冷媒となって給湯側減圧装置１２に至る。
【００３８】
給湯側減圧装置１２で減圧され、低温低圧の二相冷媒となって給湯側補助冷媒熱交換器１９を通って、給湯側室外熱交換器４に入り、室外空気と熱交換して蒸発し低圧ガスとなって給湯側圧縮機１０にもどる。さらに、貯湯槽１５に適温の湯が蓄えられ、この湯を使用するときには端末水栓１７を用いて出湯する。
【００３９】
この時、冷房運転で空調側補助冷媒熱交換器１８に入った空調側回路９の高温高圧ガスと、給湯運転で給湯側補助冷媒熱交換器１９を通る給湯側回路１４の低温低圧の二相冷媒とが熱交換することになる。
【００４０】
この様に、冷房運転と給湯運転の同時運転した場合にのみ空調側補助冷媒熱交換器１８と、給湯側補助冷媒熱交換器１９間の熱交換がおこなわれるので、空調側回路９がそれまでの冷房運転の経緯に関わらず、室内での吸熱を給湯側回路１４に付加することにより性能向上を図ることができる。
【００４１】
また、本実施例では空調側補助冷媒熱交換器１８を空調側室外熱交換器４の冷房運転時の出口側に設置し、給湯側補助冷媒熱交換器１９を給湯側室外熱交換器１３の出口側に設置しているが、いすれか一方あるいは両方をそれぞれ空調側室外熱交換器４の冷房運転時の入口側または給湯側室外熱交換器１３の入口側に設置しても同様の効果が得られる。
【００４２】
またこの時、空調側室外熱交換器４及び給湯側室外熱交換器１３の熱交換空気量を制御することにより能力調整を行うことで空調側補助冷媒熱交換器１８と給湯側補助冷媒熱交換器１９の間の熱交換効率を向上させることができる。
【００４３】
さらに、図７は空調側回路９の流路切換手段２の実施例を示す図であり、図７（ａ）で３５は四方弁、図７（ｂ）で３６ａ冷房高圧側開閉弁、３６ｂは冷房低圧側開閉弁、３７ａは暖房高圧側開閉弁、３７ｂは暖房低圧側開閉弁である。また、図中、実線の矢印は冷房運転時の冷媒の流れを示し、破線の矢印は暖房運転時の冷媒の流れを示している。四方弁３５はそれ単独で冷房運転と暖房運転の冷媒流れを切り換える機能を有している。また、図７（ｂ）では冷房運転時、冷房高圧側開閉弁３６ａ及び冷房低圧側開閉弁３６ｂを開成し、暖房高圧側開閉弁３７ａ及び暖房低圧側開閉３７ｂ弁を閉止することで実線の矢印の流れとなり、暖房運転時には冷房高圧側開閉弁３６ａ及び冷房低圧側開閉弁３６ｂを閉止し、暖房高圧側開閉弁３７ａ及び暖房低圧側開閉３７ｂ弁を開成することで破線の矢印の流れとなることによって冷媒の流れを切り換えることができる。
【００４４】
尚、空調側回路９，給湯側回路１４は圧力が臨界圧力以上となる超臨界サイクルでも良いし、一般の臨界圧力以下のヒートポンプサイクルでも良い。またこの場合、冷媒としてはフロンガス、アンモニアなどを用いても良い。
【００４５】
（実施例２）
図２は本発明の実施例２による冷暖房給湯装置の回路図である。尚、実施例１と同一構成については同一符号を付し、その詳細な説明を省略する。
【００４６】
図２において、実施例１の構成と異なるところは空調側補助冷媒熱交換器１８及び給湯側補助冷媒熱交換器１９の冷媒対冷媒の熱交換器を、空調側補助熱交換器２２及び給湯側補助熱交換器２４を一体化し送風手段２３で空気を媒体として空調側補助熱交換器２２及び給湯側補助熱交換器２４相互の熱交換を行う様にしたことであり、一体化により伝熱による熱交換効果も兼ね備えている。例えば、フィンアンドチューブを用いた場合にはフィンを伝熱して熱交換可能であり、さらに、空調側補助熱交換器２２と給湯側補助熱交換器２４で交互あるいは千鳥にチューブを配列することでさらに熱交換性能の向上が見込める。また、空調側回路９と給湯側回路１４の能力差を考慮して、空調回路側９と給湯回路側１４でチューブの数を変えることで熱交換能力の調整を行っても良い。
【００４７】
これにより、冷房運転と給湯運転の同時運転した場合にのみ空調側冷媒熱交換器２２と、給湯側補助熱交換器２４間の熱交換がおこなわれるので、空調側回路９がそれまでの冷房運転の経緯に関わらず、室内での吸熱を給湯側回路１４に付加することにより性能向上を図ることができる。
【００４８】
（実施例３）
図３は本発明の実施例３による冷暖房給湯装置の回路図である。尚、実施例２と同一構成については同一符号を付し、その詳細な説明を省略する。
【００４９】
図３において、実施例２の構成と異なるところは、空調側回路９及び給湯側回路１４の運転状態に合わせて、空調側補助熱交換器２２及び給湯側補助熱交換器２４を通る冷媒をバイパスするよう、空調側開閉弁２５，空調側バイパス弁２６、給湯側開閉弁２７及び給湯側バイパス弁２８を備えたことである。
【００５０】
これは、空調側回路９の暖房負荷が大きい場合には空調側開閉弁２５及び給湯側バイパス弁２８を開成し、空調側バイパス弁２６及び給湯側開閉弁２７を閉止することで、空調側補助熱交換器２２が空調側室外熱交換器４に加えて室外空気からの熱を吸収して暖房運転に使用できる。
【００５１】
また、逆に給湯負荷が大きい場合には、空調側開閉弁２５及び給湯側バイパス弁２８を閉止し、空調側バイパス弁２６及び給湯側開閉弁２７を開成することで、給湯側補助熱交換器２４が給湯側室外熱交換器１３に加えて室外空気からの熱を吸収して給湯運転に使用できる。
【００５２】
空調側回路９および給湯側回路１４の運転状態に応じて空気側補助熱交換器２２あるいは給湯側補助熱交換器２４をより高い能力の運転が必要な回路側に、空気との熱交換器として使用できるので性能向上を図ることができる。
【００５３】
（実施例４）
図４は本発明の実施例４による冷暖房給湯装置の回路図である。尚、実施例３と同一構成については同一符号を付し、その詳細な説明を省略する。
【００５４】
図４において、実施例３の構成と異なるところは空気側室外熱交換器４の着霜を検知する空調側着霜センサー２９を設置し、給湯側室外熱交換器１３の着霜を検知する給湯側着霜センサー３０を設置したことである。
【００５５】
着霜検知の方法としては、空気側室外熱交換器４及び給湯側室外熱交換器１３の特定位置の配管温度に温度計を設置し、ある時間ある温度以下となた場合着霜したとみなす手法、あるいは蒸発器の空気出入口の差圧を検知してある一定以上の差圧となった場合着霜したと判断する方法などがある。
【００５６】
これは、空調側回路９及び給湯側回路１４の一方又は両方が運転中、空調側着霜センサー２９あるいは給湯側着霜センサー３０により着霜を検知したとき、即ち、空調側回路９ので着霜を検知した場合には空調側開閉弁２５及び給湯側バイパス弁２８を開成し、空調側バイパス弁２６及び給湯側開閉弁２７を閉止することで、空調側補助熱交換器２２が室外空気からの熱を吸収して暖房運転に使用できる。
【００５７】
また、逆に給湯回路１４で着霜を検知した場合には、空調側開閉弁２５及び給湯側バイパス弁２８を閉止し、空調側バイパス弁２６及び給湯側開閉弁２７を開成することで、給湯側補助熱交換器２４が室外空気からの熱を吸収して給湯運転に使用できる。
【００５８】
従って、空調側室外熱交換器あるいは給湯側室外熱交換器が着霜した場合の暖房能力あるいは給湯能力の向上を図ることができる。
【００５９】
（実施例５）
図５は本発明の実施例５による冷暖房給湯装置の回路図である。尚、実施例４と同一構成については同一符号を付し、その詳細な説明を省略する。
【００６０】
図５において、実施例４の構成と異なるところは給湯側回路１４にタイマー３１を設置したことである。タイマー３１には週間、月間、年間などを通してのスケジューリング機能を付加しても良い。
【００６１】
これにより、給湯側回路１４は夜間に運転を行うことで貯湯槽１５内に夜間電力を利用してお湯を貯めることができる。
【００６２】
夜間電力の有効利用により電力の平準化を行い環境保全に寄与しできる。また、特に夏季、夜間の冷房運転の時間が増加するため、給湯側回路１４との同時運転である可能性が高い。従って、空調側回路９が冷房運転時に給湯側回路１４を同時運転すると室内で回収した熱を空調側補助熱交換器２２と給湯側補助熱交換器２４の熱交換によって給湯側回路１４に付加することができるので性能向上を図れる。
【００６３】
（実施例６）
図６は本発明の実施例６による冷暖房給湯装置の回路図である。尚、実施例５と同一構成については同一符号を付し、その詳細な説明を省略する。
【００６４】
図６において、実施例５の構成と異なるところは、空調側補助熱交換器２２と給湯側補助熱交換器２４に代わり、蓄熱槽３４内に空調側回路９の熱を蓄熱材の熱と熱交換する空調側蓄熱熱交換器３２と、給湯側回路１４の熱を蓄熱材の熱と熱交換する給湯側蓄熱熱交換器３３を備えたことである。
【００６５】
これにより、空調側回路９が冷房運転の時の単独運転時には温熱を蓄熱槽３４に蓄えることができるので、次回、給湯側回路９が運転されたとき蓄熱槽３４内の温熱を吸熱して給湯に使用できる。
【００６６】
また、給湯側回路１４が単独運転時には冷熱を蓄熱槽３４に蓄えることができるので、次回、空調側回路９が冷房運転されたとき蓄熱槽３４内の冷熱を吸熱して冷房に使用できる。
【００６７】
給湯側回路１４の単独運転に置いても蓄熱槽３４が熱エネルギーを蓄えることができるので、冷房運転と給湯運転が同時に行われない場合においても、空調側回路９が冷房運転時に室内での吸熱を給湯側回路１４に付加することにより性能向上を図ることができる。
【００６８】
【発明の効果】
空調側回路がそれまでの冷房運転の経緯に関わらず、室内での吸熱を給湯側回路に付加することにより性能向上を図れる冷暖房給湯装置を提供できる。
【図面の簡単な説明】
【図１】本発明による冷暖房給湯装置の実施例１の回路図
【図２】本発明による冷暖房給湯装置の実施例２の回路図
【図３】本発明による冷暖房給湯装置の実施例３の回路図
【図４】本発明による冷暖房給湯装置の実施例４の回路図
【図５】本発明による冷暖房給湯装置の実施例５の回路図
【図６】本発明による冷暖房給湯装置の実施例６の回路図
【図７】（ａ）流路切換手段として四方弁を用いた実施例を示す回路図
（ｂ）流路切換手段として４つの開閉弁を用いた実施例を示す回路図
【図８】従来の冷暖房給湯装置の回路図
【符号の説明】
１  空調側圧縮機
２  流路切換手段
４  空調側室外熱交換器
５  空調側減圧装置
６  室内熱交換器
９  空調側回路
１０  給湯側圧縮機
１２  給湯側減圧装置
１３  給湯側室外熱交換器
１４  給湯側回路
１８  空気側補助冷媒熱交換器
１９  水熱交換器
２０  水循環装置
２１  給湯側補助冷媒熱交換器
２２  空気側補助熱交換器
２３  送風手段
２４  給湯側補助熱交換器
２５  空調側開閉弁
２６  空調側バイパス弁
２７  給湯側開閉弁
２８  給湯側バイパス弁
２９  空調側着霜センサー
３０  給湯側着霜センサー
３１  タイマー
３２  空調側蓄熱熱交換器
３３  給湯側蓄熱熱交換器
３４  蓄熱槽
【図１】
2004218943.tif 000003
【図２】
2004218943.tif 000004
【図３】
2004218943.tif 000005
【図４】
2004218943.tif 000006
【図５】
2004218943.tif 000007
【図６】
2004218943.tif 000008
【図７】
2004218943.tif 000009
【図８】
2004218943.tif 000010